(57)【特許請求の範囲】
【請求項１】
踏板の移動速度を踏板速度設定値に基づいて制御する乗客コンベア制御盤を備えた乗客コンベア装置と、
上記乗客コンベア装置の乗り口側の上記踏板の上方に配設されて、上記乗り口側の上記踏板に向かって歩行する乗客を撮影するカメラと、
上記踏板速度設定値を上記乗客コンベア制御盤に送信する解析制御部と、
を備え、
上記解析制御部は、複数の上記踏板速度設定値、上記カメラで撮影される映像の静止画像データの取得間隔時間を決定する第１の画像取得間隔時間および上記乗客の歩行状態を判断するための通常歩行判定値が格納される第１の記憶手段と、
上記第１の画像取得間隔時間ごとに取得される上記静止画像データを格納する第２の記憶手段と、
上記第２の記憶手段に格納された前後の上記静止画像の重ね合わせ画像を解析して上記乗客の進行方向に対する横方向の揺れ幅を算出し、算出された上記揺れ幅と上記通常歩行判定値とを比較することにより上記乗客の上記歩行状態を判断して、複数の上記踏板速度設定値から上記歩行状態の判断結果に対応する上記踏板速度設定値を選択し、選択された上記踏板速度設定値のデータを乗客コンベア制御盤に送信する演算制御手段と、
を備えることを特徴とする乗客コンベア制御装置。
【請求項２】
上記複数の踏板速度設定値には、健常者の歩行速度に合わせた通常運転速度および上記通常運転速度より低速な遅運転速度が含まれ、上記演算制御手段は、上記乗客の上記揺れ幅が上記通常歩行判定値より大きければ上記乗客の上記歩行状態が異常であると判断するとともに、上記遅運転速度のデータを乗客コンベア制御盤に送信することによって上記踏板の移動速度の切り替えがなされることを特徴とする請求項１に記載の乗客コンベア制御装置。
【請求項３】
上記演算制御手段はタイマを備え、さらに上記第１の記憶手段に上記乗客が上記カメラに映し出されてから上記乗客が上記乗客コンベア装置を降車するまでの所要時間以上の時間に設定された渡し時間が予め格納されており、上記演算制御手段は、上記乗客の上記歩行状態が異常であると判断すると同時にタイマのカウントを開始させ、上記タイマのカウントが上記渡し時間経過したときに上記通常運転速度のデータを上記乗客コンベア制御盤に送信し、上記踏板の移動速度を上記遅運転速度から上記通常運転速度に切り替えることを特徴とする請求項２に記載の乗客コンベア制御装置。
【請求項４】
上記解析制御部に電気的に接続された報知手段が備えられ、上記演算制御手段は、上記歩行状態が異常であると判断すると、上記踏板の上記移動速度の切り替えの予告を上記報知手段に行わせることを特徴とする請求項２または請求項３に記載の乗客コンベア制御装置。
【請求項５】
上記第１の記憶手段には、上記カメラで撮影される映像の静止画像データの取得間隔時間を決定する第２の画像取得間隔時間および上記乗客の歩行速度の状態を判断するための基準歩行速度が予め格納されており、上記演算制御手段は、上記第２の画像取得間隔時間ごとに取得される上記静止画像データを上記第２の記憶手段に格納し、さらに上記第２の画像取得間隔時間ごとに取得された前後の上記静止画像の重ね合わせ画像を解析して上記乗客の進行方向の上記歩行速度を算出して、算出された上記歩行速度を上記基準歩行速度と比較して上記乗客の上記歩行速度の状態を判断し、複数の上記踏板速度設定値から上記歩行速度の状態の判断結果に対応する上記踏板速度設定値を選択して、選択された上記踏板速度設定値のデータを上記乗客コンベア制御盤に送信することを特徴とする請求項１乃至請求項４のいずれか１項に記載の乗客コンベア制御装置。
【発明の詳細な説明】
【技術分野】
【０００１】
この発明は、エスカレータ装置などの乗客コンベアにおいて、乗客の歩行状態に応じた踏板の移動速度の制御を行う機能を有する乗客コンベア制御装置に関するものである。
【背景技術】
【０００２】
従来のエスカレータには、乗客移動速度検出装置と、演算手段と、乗客が乗る踏板を有する踏段を駆動する駆動機と、制御装置が備えられている。乗客移動速度検出装置はエスカレータ装置の乗降口の近傍に装備されている。そして、エスカレータ装置に乗り込む前の乗客の移動速度が、乗客移動速度検出装置によって検出され、検出された乗客の移動速度に応じた踏段の移動速度が演算手段によって設定される。設定された踏段の移動速度が、制御装置を介して駆動機に指示されて、駆動される踏段の速度が加減速されるようになっている。
【０００３】
演算手段は、測定された乗客の移動速度が、一般健常者の標準的な歩行速度である基準乗客移動速度より低速の場合は定格速度以下で踏段を移動させる低速指令を発している。これによりエスカレータの踏板の移動速度は、歩行能力低下者に対しても転倒事故の防止に寄与できる最適な踏板の移動速度となるように制御がなされていた（例えば、特許文献１参照）。
【０００４】
【特許文献１】特開２００４−９９２６６号公報
【発明の開示】
【発明が解決しようとする課題】
【０００５】
しかしながら、従来のエスカレータは、踏板の移動方向における乗客の歩行速度を検出し、検出結果に応じて踏板の移動速度を制御するものである。例えば、踏板の移動方向に対して横揺れしながらも、一般健常者の標準的な歩行速度で歩行している酩酊者がエスカレータに乗る場合は、踏板の移動速度が定格速度で運転されるので、踏板の移動速度に対応しきれず、踏板への乗車が容易に出来ないおそれがある。
【０００６】
本発明は、上記の課題を解決するためになされたものであり、踏板の移動方向に対して横揺れ方向の動きを含んだ乗客の歩行状態を判断し、乗客の歩行状態が異常であると判断された場合は乗客コンベアの踏板の移動速度を低速に制御し、酩酊した乗客などの歩行能力低下者でも踏板へ容易に乗降することができる乗客コンベア制御装置を得ることを目的とする。
【課題を解決するための手段】
【０００７】
この発明の乗客コンベア制御装置は、踏板の移動速度を踏板速度設定値に基づいて制御する乗客コンベア制御盤を備えた乗客コンベア装置と、上記乗客コンベア装置の乗り口側の上記踏板の上方に配設されて、上記乗り口側の上記踏板に向かって歩行する乗客を撮影するカメラと、上記踏板速度設定値を上記乗客コンベア制御盤に送信する解析制御部と、
を備え、上記解析制御部は、複数の上記踏板速度設定値、上記カメラで撮影される映像の静止画像データの取得間隔時間を決定する第１の画像取得間隔時間および上記乗客の歩行状態を判断するための通常歩行判定値が格納される第１の記憶手段と、上記第１の画像取得間隔時間ごとに取得される上記静止画像データを格納する第２の記憶手段と、上記第２の記憶手段に格納された前後の上記静止画像の重ね合わせ画像を解析して上記乗客の進行方向に対する横方向の揺れ幅を算出し、算出された上記揺れ幅と上記通常歩行判定値とを比較することにより上記乗客の上記歩行状態を判断して、複数の上記踏板速度設定値から上記歩行状態の判断結果に対応する上記踏板速度設定値を選択し、選択された上記踏板速度設定値のデータを乗客コンベア制御盤に送信する演算制御手段と、を備えている。
【発明の効果】
【０００８】
この発明の乗客コンベア制御装置によれば、カメラによって乗客コンベア装置の踏板に向かって歩行する乗客が撮影され、さらに解析制御部は、撮影された乗客の映像を第１の画像取得間隔時間ごとに静止画像として取得し、取得した前後の静止画像を重ね合わせて解析することにより乗客の進行方向に対する横方向の歩行状態の判断を行い、判断結果に応じた踏板速度設定値を乗客コンベア制御盤に送信し、乗客コンベア制御盤は送信した踏板速度設定値に基づいて踏板の移動速度の制御を行うので、酩酊者などの歩行能力低下者でも容易に踏板への乗降を行うことができる。
【発明を実施するための最良の形態】
【０００９】
以下、この発明を実施するための最良の形態について、図面を参照しつつ説明する。
実施の形態１．
図１はこの実施の形態１に係る乗客コンベア制御装置の全体構成を模式的に説明するための図、図２は図１を部分的に拡大した上面図、図３はこの実施の形態１に係る乗客コンベア制御装置の解析制御部の構成を説明するためのブロック図、図４はこの実施の形態１に係る乗客コンベア制御装置の解析制御部が乗客の歩行状態を判定する方法を説明するための平面図であり、図４の（ａ）は、カメラによって撮影された乗客の映像を静止画像にした平面図、図４の（ｂ）は図４の（ａ）の撮影時間から第１の画像取得間隔時間経過後に撮影された映像を静止画像にした平面図、図４の（ｃ）は図４の（ａ）および図４の（ｂ）を重ね合わせた平面図であり、図５はこの実施の形態１に係る乗客コンベア制御装置の動作を説明するためのフロー図である。
【００１０】
図１および図２において、乗客コンベア制御装置１は、乗客コンベア装置としてのエスカレータ装置２と、カメラ３と、解析制御部４と、報知手段としてのスピーカ２０を備えている。
【００１１】
エスカレータ装置２の主な構成について説明する。
エスカレータ装置２には、上階側スプロケット１１ａおよび下階側スプロケット１１ｂがエスカレータ本体部６内の上階側および下階側にそれぞれ配設されている。
エスカレータ本体部６は詳細には図示しないが、エスカレータ装置２の骨組みとなるトラスと称されるフレームと、この側面に取り付けられた外側板となどにより中空体状に形成されている。
また、無端状の踏段チェーン５が、上階側スプロケット１１ａおよび下階側スプロケット１１ｂに掛け渡されて、走行自在に設けられている。
【００１２】
踏段チェーン５には、主に踏板７および階段のけあげに相当するライザー８から構成される踏段９が多数連続して掛止めされて、無端コンベア状に配列されている。エスカレータ本体部６の上階側には、上階側スプロケット１１ａを介して踏段チェーン５と共に踏段９を回転走行せしめるモータ等の駆動機器１０が設けられている。踏段９は例えば３０ｍ／分の速度で上階側から下階側に乗客を運ぶ方向に回転走行されている。
【００１３】
また、欄干１２が、コンベア状に配設された踏段９の移動方向の両側を挟むようにエスカレータ本体部６の上方に立設されている。また、無端状の移動手摺１３が欄干１２の上部に配設されて、駆動機器１０によって、踏段９と同期した走行がなされる。
また、エスカレータ装置２の走行を制御する乗客コンベア制御盤としてのエスカレータ制御盤１４がエスカレータ本体部６の内部に、駆動機器１０に近接して配設されている。
【００１４】
カメラ３はエスカレータ装置２の乗り口側の踏板７に対向する天井に配設され、さらに乗り口方向にカメラ３のレンズが向けられて、乗り口の周辺を斜め上方から撮影できるようになっている。
【００１５】
解析制御部４は、図３に示されるように、カメラ３、スピーカ２０およびエスカレータ制御盤１４にそれぞれ配線１５ａ〜１５ｃによって電気的に接続されている。そして、カメラ３が撮影した映像は、解析制御部４に送られるようになっている。
解析制御部４は、乗客コンベア制御装置１の制御プログラムなどが格納される第１の記憶手段としてのＲＯＭ１６、通信手段１７、カメラ３で撮影された映像データを格納するための第２の記憶手段としてのＲＡＭ１８またはハードディスク（ＨＤ）および複数のタイマを内蔵する演算制御手段としてのＣＰＵ１９などを備えている。
【００１６】
通信手段１７は、解析制御部４とカメラ３、スピーカ２０およびエスカレータ制御盤１４との通信を媒介するインタフェイスである。
解析制御部４は、ＲＡＭ１８に格納される画像データの解析やエスカレータ制御盤１４へのデータの送信、さらには通信手段１７を介して接続されたスピーカ２０を制御して、スピーカ２０に任意のアナウンスをさせることができる。
【００１７】
また、エスカレータ制御盤１４は、解析制御部４から受信したデータに基づいてエスカレータ装置２の制御を行うことができる。
【００１８】
ＲＯＭ１６にはさらに、第１の画像取得間隔時間、通常歩行判定値、踏板速度設定値、渡し時間および画像縮尺値が格納されている。
第１の画像取得間隔時間は、カメラ３で撮影される映像の静止画像データの取得間隔時間を決定するものである。例えば第１の画像取得間隔時間を０．５秒に設定すれば、０．５秒毎の乗り口付近の静止画像が連続してＲＡＭ１８に格納される。なお、ＲＡＭ１８に格納された画像のデータサイズがＲＡＭ１８の容量以上になったら、古いものに順次上書きされる。
【００１９】
通常歩行判定値は、後述するように、乗客の歩行状態が異常かどうかを判定するために使用されるもので、例えば１５ｃｍが設定値として格納されている。
【００２０】
また、踏板速度設定値は、通常運転速度と遅運転速度の値が設定される。通常運転速度は、健常者の標準的な歩行速度に合わせて設定されて、例えば３０ｍ／分設定にされる。また、遅運転速度は、通常運転速度より低速な速度に設定されて、例えば２０ｍ／分に設定される。そして、後述するように、ＣＰＵ１９による乗客の歩行状態の判断結果に応じて通常運転速度または遅運転速度がエスカレータ制御盤１４に送られて、エスカレータ制御盤１４によって踏段９、即ち踏板７の移動速度が送られた通常運転速度または遅運転速度になるように制御される。
【００２１】
また、乗客コンベア制御装置１は、乗客コンベア制御装置１の管理者によってエスカレータ装置２の運転の開始がなされたときには、解析制御部４から、通常運転速度のデータがエスカレータ制御盤１４に送られるように設定されている。
【００２２】
渡し時間は、乗客が解析制御部４に検出されてから踏板７まで、十分に余裕を持って到達できる時間に、エスカレータ装置２の乗り口から降り口までの距離を踏板７が走行移動するのにかかる時間が加えられたものである。従って、エスカレータ装置２を利用する乗客がカメラ３の画像に映し出されてから、その後、乗客が上階で踏板７に乗車して、下階で降車するまでに要する時間以上の値が渡し時間として設定される。
【００２３】
画像縮尺値は、カメラ３で取得される静止画像の縦軸方向および横軸方向の実サイズに対する縮尺値である。ＣＰＵ１９はこの画像縮尺値を参照して、取得した静止画像上の距離から、実サイズを計算するようになっている。
【００２４】
次に、解析制御部４の制御動作および乗客の歩行状態の判定方法について図４を参照しつつ説明する。
【００２５】
カメラ３で撮影された映像データは、解析制御部４に常時送られている。そして、解析制御部４のＣＰＵ１９は、設定された第１の画像取得間隔時間（０．５秒）ごとに映像データを静止画像としてＲＡＭ１８に格納する。さらにＣＰＵ１９は、第１の画像取得間隔時間ごとにＲＡＭ１８に格納された前後の静止画像の重ね合わせ画像の解析を行う。重ね合わせ画像に変化が有ったときには、ＣＰＵ１９は、カメラ３から送られる映像に乗客が映し出されたと判断する。
【００２６】
そして、ＣＰＵ１９は、乗客がカメラ３に映し出されたと判断すると、さらに、乗客が完全にカメラ３に映りこんだ前後の静止画像の重ね合わせ画像を解析し、乗客の歩行状態の判断を行う。
例えば、図４の（ａ）は、進行方向に対して横方向に体をゆらしながら踏板７に向かって歩行する酩酊した乗客が映りこんだ静止画像である。図４の（ｂ）は、図４の（ａ）の静止画像取得後、第１の画像取得間隔時間経過後に取得された静止画像である。
【００２７】
そして、図４の（ａ）に示される静止画像および図４の（ｂ）に示される静止画像を重ね合わせた図４の（ｃ）に示される重ね合わせ画像を解析することによって乗客の歩行状態が判断される。ＣＰＵ１９の制御による画像解析では、例えば、図４の（ｃ）に示される重ね合わせ画像において、乗客の頭部を解析し、乗客がどれだけ頭を進行方向に対して横方向に揺らして歩行しているのかを静止画像内の移動距離Ｌ１として検出するようになっている。さらに、演算制御手段１９の制御による画像解析では、Ｌ１は画像縮尺値に基づいた実サイズの寸法に補正され、乗客の横方向の揺れ幅を実サイズとして得ることができる。
【００２８】
また、ＣＰＵ１９は、計算した乗客の横方向の揺れ幅をＲＯＭ１６に格納されている通常歩行判定値（１５ｃｍ）と比較し、横方向の揺れ幅が通常歩行判定値以上の場合には乗客の歩行状態は異常であると判断し、遅運転速度のデータをエスカレータ制御盤１４に出力するようになっている。また、遅運転速度のデータをエスカレータ制御盤１４に送ると同時にＣＰＵ１９に内蔵されたタイマのカウントが開始されるようになっている。そして、タイマによるカウントが渡し時間経過するまでエスカレータ装置２の運行状態は維持される。
【００２９】
そして、渡し時間が経過すると同時に、ＣＰＵ１９は、通常運行速度のデータをエスカレータ制御盤１４に送るようになっている。
また、ＣＰＵ１９は、横揺れ幅が、通常歩行判定値以下の場合には乗客の歩行状態を異常でないと判断し、踏板７が通常運転速度での移動速度で走行するエスカレータ装置２の運行状態が維持されるようになっている。
【００３０】
また、タイマのカウンタが作動中に、エスカレータ装置２に乗り込もうとしている乗客の歩行状態がＣＰＵ１９によって異常であると判断された場合は、タイマのカウンタをリセットしたのち再びカウンタを開始させて、タイマのカウントが渡し時間経過するまで、エスカレータ装置２の運行状態を維持するようになっている。
【００３１】
次にエスカレータ制御盤１４の動作について説明する。通常運転速度で踏板７の移動速度が制御されているときに、エスカレータ制御盤１４が、解析制御部４から遅運転速度のデータを受信した場合、踏板７の移動速度が、通常運転速度から緩やかに遅運転速度へ切り替わるように制御する。既にエスカレータ装置２の踏板７に乗っている乗客がいる場合には、緩やかに踏板７の移動速度の切り替えが行われることによって、突然の速度切り替えによる加速度が乗客にかかることはないため、乗客への快適性を損なうことなく円滑にエスカレータ装置２を運転できる。
【００３２】
さらに、エスカレータ制御盤１４は、ＣＰＵ１９のタイマのカウントが渡し時間以上に継続されると、解析制御部４から通常運転速度のデータを受信し、通常運転速度になるまで踏板７の移動速度を加速するようにエスカレータ装置２の制御を行う。これにより、歩行状態が異常でないと判断された乗客がエスカレータ装置２を利用するときは、踏板７の移動速度は通常移動速度で移動されるので、効率よくエスカレータ装置２の運転を行うことができる。
【００３３】
なお、エスカレータ制御盤１４が踏板７の通常運転速度から遅運転速度に切り替える時、つまり解析制御部４が遅運転速度のデータをエスカレータ制御盤１４に送る時、解析制御部４がスピーカ２０に「踏板７の移動速度を減速します。」等のアナウンスをさせるようになっている。これにより、踏板７の移動速度が切り替わることを予め乗客に知らせることができるので、乗客は踏板７の速度切り替えに戸惑うことなく踏板７に乗車できる。
【００３４】
また、エスカレータ制御盤１４が、踏板７の移動速度を遅運転速度から通常運転速度に切り替えるときには、解析制御部４が、スピーカ２０に「踏板７の移動速度を加速します。」等のアナウンスをさせるようになっている。踏板７の移動速度が切り替わることを予め乗客に知らせることができるので、乗客が踏板７に残されている場合でも、乗客は、踏板７の移動速度の切り替えに戸惑うことなく、さらに踏板７から降車するときには注意を払うことができる。なお、歩行状態が異常であると判断された乗客は、渡し時間が経過する前に踏板７から降車するので、ここで踏板７に残される乗客は、歩行状態が異常でないと判断された乗客である。
【００３５】
次に、上記のように構成および接続された乗客コンベア制御装置１の動作フローについて図５のフロー図に基づいて述べる。なお、図５中、本文中のステップ１０１〜ステップ１１１を便宜上Ｓ１０１〜Ｓ１１１と記す。
まず、乗客コンベア制御装置１を作動させると、エスカレータ装置２の踏板７は通常運転速度で走行される。（ステップ１０１）。
解析制御部４は、乗客がカメラ３で撮影された映像に映し出されたかを判断する（ステップ１０２）。
【００３６】
ＣＰＵ１９によって乗客が映し出されていないと判断されたらステップ１０２を繰り返す。
ＣＰＵ１９によって乗客が映し出されたと判断されたら、ステップ１０３へ進む。
ステップ１０３では、ＣＰＵ１９は、乗客の歩行状態は異常かどうかを判断する。
ステップ１０３で乗客の歩行状態は異常でない（正常）と判断された場合は、ＣＰＵ１９は、通常運転速度で踏板７を走行させているエスカレータ装置２の運転を継続し（ステップ１０４）、ステップ１０２に戻る。
ステップ１０３で乗客の歩行状態が異常であると判断された場合は、ＣＰＵ１９は、ＣＰＵ１９に内蔵されたタイマのカウントを開始する（ステップ１０５）。
【００３７】
次に、ＣＰＵ１９はスピーカ２０を制御して、「踏板７の移動速度を減速します。」のアナウンスを行って踏板７の移動速度の減速を予告すると同時にエスカレータ制御盤１４に遅運転速度のデータを送り、エスカレータ制御盤１４は、遅運転速度になるまで踏板７の移動速度を緩やかに減速する。（ステップ１０６）。
次に、ＣＰＵ１９は、カメラ３から送られてくる映像に乗客が映し出されたかどうかを判断する（ステップ１０７）。
ステップ１０７で乗客が映し出されていないと判断された場合はステップ１１０へ進む。
【００３８】
ステップ１０７で、乗客が映し出されたと判断された場合、ＣＰＵ１９は乗客の歩行状態が異常であるかどうかを判断する（ステップ１０８）。
ステップ１０８で乗客の歩行状態が異常であると判断された場合、ＣＰＵ１９はタイマのカウントをリセットして再度タイマのカウントを開始し（ステップ１０９）、ステップ１０７に戻る。
ステップ１０８で乗客の歩行状態が異常でないと判断された場合はステップ１１０に進む。
【００３９】
ステップ１１０では、ＣＰＵ１９はタイマのカウントが設定した渡し時間以上に経過したかどうかを判断する。
ステップ１１０で、タイマが設定した渡し時間以上に経過していないと判断された場合、ステップ１０７に戻る。
ステップ１１０で、タイマが設定した渡し時間以上に経過したと判断された場合、ＣＰＵ１９は、スピーカ２０に「踏板７の移動速度を加速します。」のアナウンスをさせると同時に、通常運転速度のデータをエスカレータ制御盤１４に送り、エスカレータ制御盤１４は、踏板７の移動速度を通常運転速度になるまで加速する（ステップ１１１）。
【００４０】
この実施の形態１によれば、カメラ３によって、エスカレータ装置２の乗り口側の踏板７に向かって歩行する乗客が撮影されて、解析制御部４が撮影された乗客の進行方向に対する横方向の動きを解析し、乗客の歩行状態が異常であると判断された場合は、遅運転速度のデータをエスカレータ制御盤１４に送り、エスカレータ装置２の踏板７の移動速度が遅運転速度で渡し時間経過するまで運転されるので、酩酊した乗客などの歩行能力低下者でも容易に踏板７への乗降を行うことができる。
【００４１】
さらに、解析制御部４が、渡し時間経過したと判断すると、通常運転速度のデータがエスカレータ制御盤１４に送られて、踏板７の移動速度は通常運転速度に切り替わるので、効率よくエスカレータ装置２の運転を行うことができる。
また、解析制御部４は、踏板７の移動速度を切り替える前に、スピーカ２０にて踏板７の移動速度の変更を乗客に報知して乗客に注意を促すので、乗客のエスカレータ装置２の踏板７速度切り替えによる戸惑いをなくすことができる。
【００４２】
実施の形態２．
図６はこの実施の形態２に係る乗客コンベア制御装置の演算制御手段が乗客の歩行速度を算出する動作を説明するための平面図、図７はこの実施の形態２に係る乗客コンベア制御装置の動作を説明するためのフロー図である。
なお、図７において、上記実施の形態１と同一部分には同一符号を付し、その説明を省略する。
【００４３】
ＲＯＭ１６には基準歩行速度の値が予め格納されている。基準歩行速度は例えば健常者の標準的な歩行速度より若干遅めの１ｍ／秒などの値が設定される。さらにＲＯＭ１６には、第２の画像取得間隔時間が格納されている。第２の画像取得間隔時間は、第１の画像取得間隔時間と同様に、カメラ３で撮影される映像の静止画像データの取得間隔時間を決定するものである。例えば第２の画像取得間隔時間を１秒に設定すれば、１秒毎の乗り口付近の静止画像が連続してＲＡＭに格納される。
【００４４】
図６は、カメラ３から送られてくる映像データにおいて、踏板７の方向に歩行する乗客が映りこんだ静止画像と、それから第２の画像取得間隔時間（１秒後）経過後に取得された静止画像とがＣＰＵ１９の制御によって重ね合わせられた重ね合わせ画像である。静止画像は、静止画像と同じサイズで取得されて、静止画像の画像縮尺値は静止画像の画像縮尺値と同じ値となっている。乗客の進行方向の頭部の間隔を移動距離Ｌ２として検出し、画像縮尺値を参照して実際の移動距離に補正した値を第２の画像取得間隔時間で割ることによって、乗客の歩行速度を算出することができる。
【００４５】
そして、ＣＰＵ１９は、計算された乗客の歩行速度をＲＯＭ１６に格納された基準歩行速度と比較し、乗客の歩行速度が基準歩行速度以下の場合には乗客の歩行速度を異常と判断し、遅運転速度のデータをエスカレータ制御盤１４に出力するようになっている。また、ＣＰＵ１９は、乗客の歩行速度が基準歩行速度以上の場合には歩行速度は正常であると判断し、通常運転速度のデータがエスカレータ制御盤１４に出力される。
【００４６】
次に、この実施の形態２に係る乗客コンベア制御装置１の動作フローについて図７を参照しつつ説明する。
図７において、ステップ２０１、ステップ２０２、ステップ２０４乃至ステップ２０７、ステップ２０９乃至ステップ２１１はそれぞれ図５のステップ１０１、ステップ１０２、ステップ１０４乃至ステップ１０７、ステップ１０９乃至ステップ１１１と同様である。
【００４７】
ステップ２０３において、乗客の歩行状態が異常であるとＣＰＵ１９に判断された場合、ステップ２０５に進む。ステップ２０３において、乗客の歩行状態が異常でないとＣＰＵ１９に判断された場合は、ステップ２１２へ進む。
ステップ２１２において、乗客の歩行速度が異常でないとＣＰＵ１９に判断された場合は、通常運転速度での踏板７の移動速度でエスカレータ装置２の運転を継続し（ステップ２０４）、ステップ２０２へ戻る。
【００４８】
また、ステップ２１２で乗客の歩行速度が異常であるとＣＰＵ１９に判断された場合、ステップ２０５へ進む。
また、ステップ２０８で乗客の歩行状態が異常でないとＣＰＵ１９に判断された場合、ステップ２１３へ進む。また、ステップ２０８で乗客の歩行状態が異常であるとＣＰＵ１９に判断された場合、ステップ２０９へ進む。
ステップ２１３において、乗客の歩行速度が異常であるとＣＰＵ１９に判断された場合、ステップ２０９へ進む。また、ステップ２１３において、乗客の歩行速度が異常でないとＣＰＵ１９に判断された場合、ステップ２１０へ進む。
【００４９】
上記実施の形態２によれば、ＣＰＵ１９は、乗り口側の踏板７に向かって歩行する乗客が完全に映りこんだ静止画像と、それから第２の画像取得間隔時間経過後に取得した静止画像との重ね合わせ画像を解析して、乗客の進行方向の移動距離Ｌ２を検出し、画像縮尺値を考慮して実際の移動距離に補正した値を第２の画像取得間隔時間で割ることによって、乗客の歩行速度を計算することができる。そして、ＣＰＵ１９は、乗客の歩行速度を基準歩行速度と比較することによって乗客の歩行速度が異常かどうかを判断して、歩行速度が異常と判断された乗客（歩行能力低下者）に対しては、エスカレータ装置２の踏板７の移動速度を遅運転速度に切り替えるので、歩行能力低下者でも踏板７への乗降を容易に行うことができる。
【００５０】
なお、この実施の形態２では、ＲＯＭ１６には、１つの基準歩行速度が格納されて、１つの基準歩行速度と乗客の歩行速度を比較した判断結果に応じて、２つの踏板速度設定値から１つを選択し、選択した踏板速度設定値に踏板７の移動速度を切り替える場合について説明したが、ＲＯＭ１６に複数段階の基準歩行速度（例えば、時速４ｋｍ、時速２ｋｍ〜４ｋｍ未満、時速２ｋｍ未満）と、複数の踏板速度設定値（例えば、高速運転速度４０ｍ／分、通常運転速度３０ｍ／分、中間運転速度２５ｍ／分、遅運転速度２０ｍ／分）を格納して、それぞれの基準歩行速度と乗客の歩行速度とを比較し、その結果に応じて、複数の踏板速度設定値の中から１つの踏板速度設定値を選択し、選択した踏板速度設定値に踏板７の移動速度を切り替えることもできる。
【００５１】
また、上記各実施の形態では、報知手段としてスピーカ２０を用いるものとして説明したが、スピーカ２０を用いるものに限定されるものではなく、ディスプレイなどを用いて視覚的に踏板７の速度変化の報知を行うこともできる。
また、速度切り変えが行われる場合があることを知っている乗客が乗客コンベア制御装置１を利用する場合など、特に乗客に踏板７の移動速度の変化を報知する必要のない場合は、スピーカ２０を設ける必要はない。
【００５２】
また、エスカレータ装置２の踏段９の移動は、上階側から下階側への下り運転を例にあげて説明したが、エスカレータ装置２の踏段９は上下両方向に移動運転可能な場合、例えば、時間帯によって上り運転と下り運転とで切り替えたりできる。上り運転に切り替えた場合には、下階側の乗り口の周辺を撮影することができるように下階側の乗り口近傍の踏板７と対向する上方の天井にカメラ３を配設すればよい。
【００５３】
また、乗客コンベア制御装置１のエスカレータ装置２は、乗客コンベア制御装置１の管理者によって運転の開始がなされたときには、初期設定として通常走行で運転されるものとして説明したが、初期設定は通常走行に限定されるものではなく任意に設定可能である。
また、第１の記憶手段にはＲＯＭ１６を使用するものとして説明したが、ＲＯＭ１６に限定されるものではなく、ＲＡＭなどであってもよい。
【００５４】
また、第１の画像取得時間、通常歩行判定値、通常運転速度および遅運転速度をそれぞれ、０．５秒、１５ｃｍ、３０ｍ／分および２０ｍ／分に設定するものとして説明したが、第１の画像取得時間、通常歩行判定値、通常運転速度および遅運転速度は、乗客コンベア制御装置１の利用状況に合わせて適宜設定すればよい。
また、乗客コンベアとしてエスカレータ装置２を例にあげて説明したが、エスカレータ装置２に限定されるものではなく、動く歩道などの乗客コンベアにも本発明を適用できる。
【図面の簡単な説明】
【００５５】
【図１】この実施の形態１に係る乗客コンベア制御装置の全体構成を模式的に説明するための図である。
【図２】図１を部分的に拡大した上面図である。
【図３】この実施の形態１に係る乗客コンベア制御装置の解析制御部の構成を説明するためのブロック図である。
【図４】この実施の形態１に係る乗客コンベア制御装置の解析制御部が乗客の歩行状態を判定する方法を説明するための平面図である。
【図５】この実施の形態１に係る乗客コンベア制御装置の動作を説明するためのフロー図である。
【図６】この実施の形態２に係る乗客コンベア制御装置の演算制御手段が乗客の歩行速度を算出する動作を説明するための平面図である。
【図７】この実施の形態２に係る乗客コンベア制御装置の動作を説明するためのフロー図である。
【符号の説明】
【００５６】
２  エスカレータ装置（乗客コンベア装置）、３  カメラ、４  解析制御部、７  踏板、１４  エスカレータ制御盤（乗客コンベア制御盤）、１６  ＲＯＭ（第１の記憶手段）、１８  ＲＡＭ（第２の記憶手段）、１９  ＣＰＵ（演算制御手段）、２０  スピーカ（報知手段）。
【図１】
0004813880.tif 000002
【図２】
0004813880.tif 000003
【図３】
0004813880.tif 000004
【図４】
0004813880.tif 000005
【図５】
0004813880.tif 000006
【図６】
0004813880.tif 000007
【図７】
0004813880.tif 000008